(57)【要約】【課題】マンコンベアで使用される移動手摺を簡単に且つ短時間で温めることができ、外気温の低下によって移動手摺が硬化しても、マンコンベアの通常走行を早期に再開することができるマンコンベアの移動手摺用加温装置を提供する。【解決手段】無端状を呈する移動手摺７の表面に赤外線を照射するための赤外線照射機と、赤外線照射機を制御することにより、赤外線照射機から赤外線を照射させて、移動手摺７の温度を上昇させるコントロールユニット１０とを備える。上記赤外線照射機は、例えば、上部側用照射機１１、下部側用照射機１２、下部乗降口２及び上部乗降口３の反転部用照射機により構成される。【選択図】図１
2010208851.tif 000002
【特許請求の範囲】
【請求項１】
無端状を呈する移動手摺の表面に赤外線を照射するための赤外線照射機と、
前記赤外線照射機を制御することにより、前記赤外線照射機から赤外線を照射させて、前記移動手摺の温度を上昇させる加温制御装置と、
を備えたことを特徴とするマンコンベアの移動手摺用加温装置。
【請求項２】
前記赤外線照射機は、
前記移動手摺の上部側に赤外線を照射する上部側用照射機と、
前記移動手摺の下部側に赤外線を照射する下部側用照射機と、
前記移動手摺の一方の反転部に赤外線を照射する第１反転部用照射機と、
前記移動手摺の他方の反転部に赤外線を照射する第２反転部用照射機と、
を備えたことを特徴とする請求項１に記載のマンコンベアの移動手摺用加温装置。
【請求項３】
前記上部側用照射機は、マンコンベアの上方に設けられ、前記移動手摺の上部側に対して上方から赤外線を照射することを特徴とする請求項２に記載のマンコンベアの移動手摺用加温装置。
【請求項４】
前記下部側用照射機は、マンコンベアの主枠内に設けられ、前記移動手摺の下部側に対して下方から赤外線を照射することを特徴とする請求項２に記載のマンコンベアの移動手摺用加温装置。
【請求項５】
前記第１反転部用照射機及び前記第２反転部用照射機は、マンコンベアの乗降口の側方に設けられ、前記移動手摺の各反転部に対して側方から赤外線を照射することを特徴とする請求項２に記載のマンコンベアの移動手摺用加温装置。
【請求項６】
前記加温制御装置は、外気温度、時刻、前記移動手摺の温度の少なくとも何れかの情報に基づき、前記赤外線照射機の動作を制御することを特徴とする請求項１から請求項５の何れかに記載のマンコンベアの移動手摺用加温装置。
【発明の詳細な説明】
【技術分野】
【０００１】
この発明は、エスカレータや動く歩道等のマンコンベアで使用される移動手摺用加温装置に関するものである。
【背景技術】
【０００２】
エスカレータや動く歩道といったマンコンベアでは、一般に、横断面Ｃ字状を呈する無端状の移動手摺が使用され、乗客が移動する際に乗る踏段と同期するように、この移動手摺が駆動されている。
【０００３】
マンコンベアで使用される移動手摺には、通常、ゴム材料が多く使用されているため、移動手摺は、外気温の低下とともに硬くなる特性を有している。このため、寒冷地では、例えば、建物内の暖房が止められてしまう夜間に移動手摺の柔軟性が失われることがあり、かかる場合は、マンコンベアを朝起動させても、移動手摺の走行が開始されないことがあった。
【０００４】
このような事情に鑑み、移動手摺を温めることができる装置を備えたマンコンベアも提案されている（例えば、特許文献１参照）。このマンコンベアでは、移動手摺の走行を案内する案内レールの内部空間に電熱線を配置することにより、通電によって上記電熱線を発熱させて、移動手摺の凍結を防止している。
【先行技術文献】
【特許文献】
【０００５】
【特許文献１】特開２００４−２６９１４２号公報
【発明の概要】
【発明が解決しようとする課題】
【０００６】
特許文献１に記載のものでは、案内レールの内部空間に断熱材が敷き詰められ、この断熱材上に電熱線が配置されている。即ち、移動手摺を温めるためには、電熱線から熱を発生させ、更に、その熱を案内レール内部の空気を介して移動手摺に伝えなければならない。このため、熱効率が著しく悪く、移動手摺が一旦硬化してしまうと、走行に必要な柔軟性が移動手摺に回復するまでに、長時間を要してしまうといった問題があった。
【０００７】
また、特許文献１に記載のものでは、電熱線が移動手摺の往路側の下方にしか配置されていない。このため、移動手摺の帰路側の構成（走行経路等）によっては、往路側のみ温めても、移動手摺全体に作用する走行抵抗を十分に低下させることができず、その後にマンコンベアを起動しても、移動手摺の走行が開始されない、或いは、移動手摺が踏段と同期しないことがあった。
【０００８】
この発明は、上述のような課題を解決するためになされたもので、その目的は、マンコンベアで使用される移動手摺を簡単に且つ短時間で温めることができ、外気温の低下によって移動手摺が硬化しても、マンコンベアの通常走行を早期に再開することができるマンコンベアの移動手摺用加温装置を提供することである。
【課題を解決するための手段】
【０００９】
この発明に係るマンコンベアの移動手摺用加温装置は、無端状を呈する移動手摺の表面に赤外線を照射するための赤外線照射機と、赤外線照射機を制御することにより、赤外線照射機から赤外線を照射させて、移動手摺の温度を上昇させる加温制御装置と、を備えたものである。
【発明の効果】
【００１０】
この発明によれば、マンコンベアで使用される移動手摺を簡単に且つ短時間で温めることができ、外気温の低下によって移動手摺が硬化しても、マンコンベアの通常走行を早期に再開することができるようになる。
【図面の簡単な説明】
【００１１】
【図１】この発明の実施の形態１におけるマンコンベアの移動手摺用加温装置を示す側面図である。
【図２】図１に示す移動手摺用加温装置のＡ−Ａ矢視図である。
【発明を実施するための形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるマンコンベアの移動手摺用加温装置を示す側面図、図２は図１に示す移動手摺用加温装置のＡ−Ａ矢視図である。以下においては、マンコンベアの一例として、上下階床間の移動の際に利用されるエスカレータについて具体的に説明し、動く歩道等の他の例については、その説明を省略する。
【００１４】
図１及び図２において、１は上下階床間に架け渡されたエスカレータの主枠、２は下部乗降口、３は上部乗降口、４は踏段、５は踏段４の走行制御等、エスカレータ全体の制御を司る制御盤である。上記踏段４は、エスカレータの乗客が下部乗降口２及び上部乗降口３間を移動する際に乗るためのものである。この踏段４は、踏段チェーン６に多数連結されることによって全体として無端状に構成され、下部乗降口２及び上部乗降口３間を循環移動している。
【００１５】
また、７は踏段４に乗って移動する乗客が把持するための移動手摺、８は移動手摺７を、摩擦駆動方式等によって駆動する手摺駆動装置である。
移動手摺７は、その要部がゴム材料からなり、無端状を呈している。具体的に、移動手摺７は、その上部側が、踏段４の側方に立設された欄干９の上端部に沿って移動し、乗客が乗る踏段４と同期するように駆動されている。また、移動手摺７は、下部乗降口２及び上部乗降口３において上下に反転され、下部側が、踏段４の側方に設けられたスカートガード内等に配置されている。なお、移動手摺７の上部側及び下部側と、下部乗降口２及び上部乗降口３における両反転部とは、欄干９の縁部やスカートガード内等に設けられた案内レール（図示せず）によってその走行方向が案内されている。
【００１６】
上記構成を有するエスカレータが、例えば、寒冷地の建物に据え付けられている場合、冬季になると、外気温の低下とともに移動手摺７が硬化してしまう恐れがある。このため、上記エスカレータには、赤外線照射機、並びに、コントロールユニット（加温制御装置）１０が備えられている。
【００１７】
赤外線照射機は、無端状を呈する移動手摺７の全体に対して赤外線を照射するためのものである。即ち、赤外線照射機は、移動手摺７の全体に渡ってその表面に所定波長の光線（赤外線）を照射することにより、移動手摺７の温度を上昇させる。
具体的に、赤外線照射機は、移動手摺７の上部側に赤外線を照射するための上部側用照射機１１、移動手摺７の下部側に赤外線を照射するための下部側用照射機１２、下部乗降口２において移動手摺７の反転部に赤外線を照射するための反転部用照射機１３、上部乗降口３において移動手摺７の反転部に赤外線を照射するための反転部用照射機（図示せず）により構成される。
【００１８】
上部側用照射機１１は、例えば、エスカレータ上方の天井部１４に複数設置され、移動手摺７の上部側に対して上方から赤外線を照射する。この上部側用照射機１１は、例えば、移動手摺７からの距離、照射する赤外線の強度や角度、設置現場の気温等に合わせて、最適な設置間隔や設置数量が決定される。
また、下部側用照射機１２は、例えば、取付ブラケット等を介して主枠１内に複数取り付けられ、移動手摺７の下部側に対して下方から赤外線を照射する。この下部側用照射機１２も上記上部側用照射機１１と同様に、照射する赤外線の強度や角度、設置現場の気温等に合わせて、最適な設置間隔や設置数量が決定される。
【００１９】
反転部用照射機１３は、例えば、下部乗降口２側方の側壁１５に複数設置され、移動手摺７の反転部に対して側方（斜め側方も含む）から赤外線を照射する。この反転部用照射機１３も上記上部側用照射機１１と同様に、照射する赤外線の強度や角度、設置現場の気温等に合わせて、最適な設置間隔や設置数量が決定される。
なお、上部乗降口３の反転部用照射機は、上記反転部用照射機１３と同様の構成及び機能を有している。
【００２０】
一方、コントロールユニット１０は、赤外線照射機を制御する機能を有しており、制御用信号線１６によって全ての赤外線照射機に接続されている。即ち、赤外線照射機（各上部側用照射機１１、各下部側用照射機１２、各反転部用照射機１３、上部乗降口３の各反転部用照射機）は、コントロールユニット１０からの動作指令に基づいて赤外線を照射し、移動手摺７の温度を上昇させる。
具体的に、コントロールユニット１０は、外気温度や時刻、移動手摺７の温度等の各条件或いは組み合わせ条件に基づき、赤外線照射機のＯＮ／ＯＦＦ制御を実施する。
【００２１】
上記構成を有する移動手摺用加温装置の使用により、移動手摺７全体を簡単に且つ短時間で温めることができる。このため、例えば、外気温が低下することによって移動手摺７が硬化しても、移動手摺７全体の柔軟性を短時間で回復させることができ、マンコンベアの通常走行を早期に再開させることが可能となる。
【００２２】
即ち、赤外線照射機から赤外線を照射することによって、移動手摺７を直接温めるため、熱効率が極めて良く、移動手摺７を短時間で所定の温度まで上昇させることができる。また、移動手摺７の上部側、下部側、両反転部のそれぞれに対して最適な赤外線照射機が備えられているため、移動手摺７全体を同時に温めることができ、移動手摺７全体の柔軟性を同時に回復させることができる。したがって、赤外線の照射後に移動手摺７の走行が開始されないといった不具合を確実に防止することができる。
【００２３】
なお、上記構成の移動手摺用加温装置は、エスカレータに対して後からでも外付けできるため、新規エスカレータへの適用は当然のこと、既設のエスカレータに対しても容易に適用することができる。また、赤外線照射機の照射範囲を適宜設定すれば、エスカレータの種類等に関わらず、あらゆるタイプのものに適用することも可能である。
【符号の説明】
【００２４】
１  主枠、  ２  下部乗降口、  ３  上部乗降口、  ４  踏段、  ５  制御盤、
６  踏段チェーン、  ７  移動手摺、  ８  手摺駆動装置、  ９  欄干、
１０  コントロールユニット、  １１  上部側用照射機、  １２  下部側用照射機、
１３  反転部用照射機、  １４  天井部、  １５  側壁、  １６  制御用信号線
【図１】
2010208851.tif 000003
【図２】
2010208851.tif 000004